(57)【要約】【課題】複数の作業者がそれぞれ異なる態様で、文字として筆記入力する画像情報を付与する場合であっても、注釈情報の視認し難さを解消するとともに、指示内容を容易に確認可能な校正情報処理装置、校正情報処理方法、プログラム及び電子校正システムを提供する。【解決手段】文字として筆記入力する画像情報に共通する筆記領域１４４のサイズを決定し、校正画像１２２の表示倍率Ｒｄに比例するように付与領域１４０のサイズを決定する。決定された筆記領域１４４のサイズが、決定された付与領域１４０のサイズに一致するように、画像情報が筆記入力された筆記領域１４４の画像を拡縮する。【選択図】図６
2012216097.tif 000002
【特許請求の範囲】
【請求項１】
校正画像を表示する表示部と、該表示部を介して筆記入力することで前記校正画像の注釈情報を付与可能な筆記入力部とを有する校正情報処理装置であって、
文字として筆記入力する画像情報に共通する筆記領域のサイズを決定する筆記領域サイズ決定部と、
前記校正画像の表示倍率に比例するように、前記画像情報を付与しようとする付与領域のサイズを決定する付与領域サイズ決定部と、
前記筆記領域サイズ決定部により決定された前記筆記領域のサイズが、前記付与領域サイズ決定部により決定された前記付与領域のサイズに一致するように、前記画像情報が筆記入力された前記筆記領域の画像を拡縮する拡縮処理部と
を備えることを特徴とする校正情報処理装置。
【請求項２】
請求項１記載の校正情報処理装置において、
前記筆記領域サイズ決定部は、前記表示倍率によらない所定値を、前記筆記領域のサイズとして決定することを特徴とする校正情報処理装置。
【請求項３】
請求項１又は２に記載の校正情報処理装置において、
前記付与領域は、前記筆記領域と同一の又は相似する形状を有することを特徴とする校正情報処理装置。
【請求項４】
校正画像を表示する表示部と、該表示部を介して筆記入力することで前記校正画像の注釈情報を付与可能な筆記入力部とを有する校正情報処理装置であって、
文字としての画像情報を付与しようとする付与領域のサイズを決定する付与領域サイズ決定部と、
前記付与領域サイズ決定部により決定された前記付与領域と同一の又は相似する形状を有する筆記領域のサイズを決定する筆記領域サイズ決定部と、
前記筆記領域サイズ決定部により決定された前記筆記領域のサイズが、前記付与領域のサイズに一致するように、前記画像情報が筆記入力された前記筆記領域の画像を拡縮する拡縮処理部と
を備えることを特徴とする校正情報処理装置。
【請求項５】
請求項１〜４のいずれか１項に記載の校正情報処理装置において、
前記画像情報が表す少なくとも１つの文字を拡縮することで、所定の文字サイズになるように前記筆記領域の画像を補正する文字サイズ補正部をさらに備えることを特徴とする校正情報処理装置。
【請求項６】
請求項５記載の校正情報処理装置において、
前記画像情報における文字毎のサイズを推定し、前記文字毎のサイズの統計値を算出する文字サイズ算出部をさらに備え、
前記文字サイズ補正部は、前記文字サイズ算出部により算出された前記文字毎のサイズの統計値と、前記所定の文字サイズとに基づいて前記筆記領域の画像を補正する
ことを特徴とする校正情報処理装置。
【請求項７】
請求項１〜６のいずれか１項に記載の校正情報処理装置において、
前記拡縮処理部は、前記校正画像の表示倍率の変更に追随して前記筆記領域の画像をさらに拡縮することを特徴とする校正情報処理装置。
【請求項８】
請求項１〜７のいずれか１項に記載の校正情報処理装置において、
前記校正画像と重なる位置に前記筆記領域を指定する筆記領域指定部をさらに備えることを特徴とする校正情報処理装置。
【請求項９】
校正画像を表示する表示部と、該表示部を介して筆記入力することで前記校正画像の注釈情報を付与可能な筆記入力部とを有する装置を用いた校正情報処理方法であって、
文字として筆記入力する画像情報に共通する筆記領域のサイズを決定する筆記領域サイズ決定ステップと、
前記校正画像の表示倍率に比例するように、前記画像情報を付与しようとする付与領域のサイズを決定する付与領域サイズ決定ステップと、
決定された前記筆記領域のサイズが、決定された前記付与領域のサイズに一致するように、前記画像情報が筆記入力された前記筆記領域の画像を拡縮する拡縮処理ステップと
を備えることを特徴とする校正情報処理方法。
【請求項１０】
校正画像を表示する表示部と、該表示部を介して筆記入力することで前記校正画像の注釈情報を付与可能な筆記入力部とを有する装置を用いた校正情報処理方法であって、
筆記入力による文字としての画像情報を付与しようとする付与領域のサイズを決定する付与領域サイズ決定ステップと、
決定された前記付与領域と同一の又は相似する形状を有する筆記領域のサイズを決定する筆記領域サイズ決定ステップと、
決定された前記筆記領域のサイズが、決定された前記付与領域のサイズに一致するように、前記画像情報が筆記入力された前記筆記領域の画像を拡縮する拡縮処理ステップと
を備えることを特徴とする校正情報処理方法。
【請求項１１】
校正画像を表示する表示部と、該表示部を介して筆記入力することで前記校正画像の注釈情報を付与可能な筆記入力部とを有する装置を、
文字として筆記入力する画像情報に共通する筆記領域のサイズを決定する筆記領域サイズ決定部、
前記校正画像の表示倍率に比例するように、前記画像情報を付与しようとする付与領域のサイズを決定する付与領域サイズ決定部、
前記筆記領域サイズ決定部により決定された前記筆記領域のサイズが、前記付与領域サイズ決定部により決定された前記付与領域のサイズに一致するように、前記画像情報が筆記入力された前記筆記領域の画像を拡縮する拡縮処理部
として機能させることを特徴とするプログラム。
【請求項１２】
校正画像を表示する表示部と、該表示部を介して筆記入力することで前記校正画像の注釈情報を付与可能な筆記入力部とを有する装置を、
文字としての画像情報を付与しようとする付与領域のサイズを決定する付与領域サイズ決定部、
前記付与領域サイズ決定部により決定された前記付与領域と同一の又は相似する形状を有する筆記領域のサイズを決定する筆記領域サイズ決定部、
前記筆記領域サイズ決定部により決定された前記筆記領域のサイズが、前記付与領域のサイズに一致するように、前記画像情報が筆記入力された前記筆記領域の画像を拡縮する拡縮処理部
として機能させることを特徴とするプログラム。
【請求項１３】
請求項１〜８のいずれか１項に記載の、少なくとも１つの校正情報処理装置と、該校正情報処理装置と相互に通信可能であって校正画像を表す校正データ及び前記注釈情報を記憶可能なサーバ装置とを有することを特徴とする電子校正システム。
【発明の詳細な説明】
【技術分野】
【０００１】
この発明は、校正画像を表示する表示部と、該表示部を介して筆記入力することで前記校正画像の注釈情報を付与可能な筆記入力部とを有する校正情報処理装置、並びにこの装置を用いた校正情報処理方法、プログラム及び電子校正システムに関する。
【背景技術】
【０００２】
近時、印刷分野において、印刷会社等の製作側で作成された校正データや、発注会社等の出版企画側での修正指示情報を、地理的に離れた各担当者に通信回線を経由して送受信することで、色校正紙の遣り取りを省略するリモートプルーフを実現する電子校正システムが普及しつつある（特許文献１参照）。
【０００３】
例えば、校正画像を含む画像と併せて注釈情報を表示する際、画像と注釈情報との相対サイズを一定にしつつ、画像の表示倍率を変更する場合がある。このとき、表示倍率を低く設定すると、注釈情報としての筆記文字が読めないことがある。そこで、別異のウィンドウに表示させることなく、筆記文字の内容を簡便に確認するための技術が種々提案されている。
【０００４】
特許文献２には、注釈情報の内容を文字単位で省略するとともに、省略されない内容の一部を大きなサイズで表示する方法及びシステムが開示されている。
【０００５】
特許文献３には、画像と併せて縮小された注釈情報のサイズが表示限界を下回る場合、前記表示限界を下回らないサイズに拡大して表示する方法及び装置が開示されている。
【先行技術文献】
【特許文献】
【０００６】
【特許文献１】特開２００３−４６７９０号公報
【特許文献２】特許第４３０５３２５号公報
【特許文献３】特開平１０−２４０２２０号公報
【発明の概要】
【発明が解決しようとする課題】
【０００７】
ところで、上記した電子校正システムに、表示パネル及びタッチパネルを組み込んだ携帯可能な情報処理装置を適用することで、一層の利便性が図られるものと期待される。しかし、特許文献２及び３に開示された方法及びシステムでは、以下の不都合が生じ得る。その理由を以下に説明する。
【０００８】
例えば、この情報処理装置を用いて校正画像に注釈情報を付与する場合、キーボードを介して入力するよりも、文字として筆記入力する方が便宜である。また、携帯型装置であるが故に画面サイズが小さく、表示画像の拡大・縮小機能を駆使する場合が増加すると考えられる。
【０００９】
一方、上記した電子校正システムでは、少なくとも１人の校正者、デザイナを含む複数の作業者が、校正作業に関与する。そして、各作業者の嗜好に応じて、校正作業の態様（例えば、校正画像の表示倍率、筆記入力する文字サイズ等）は様々である。
【００１０】
すなわち、異なる作業者が、異なる表示倍率で、同一の校正画像上に筆記入力することにより、文字サイズが注釈情報毎に異なって表示されるという課題があった。そのため、デザイナは、注釈情報を視認し難いため、修正指示の確認が容易ではなく、極めて不便・不都合であった。
【００１１】
本発明は上記した問題を解決するためになされたもので、複数の作業者がそれぞれ異なる態様で、文字として筆記入力する画像情報を付与する場合であっても、注釈情報の視認し難さを解消するとともに、指示内容を容易に確認可能な校正情報処理装置、校正情報処理方法、プログラム及び電子校正システムを提供することを目的とする。
【課題を解決するための手段】
【００１２】
本発明は、校正画像を表示する表示部と、該表示部を介して筆記入力することで前記校正画像の注釈情報を付与可能な筆記入力部とを有する校正情報処理装置に関する。
【００１３】
文字として筆記入力する画像情報に共通する筆記領域のサイズを決定する筆記領域サイズ決定部と、前記校正画像の表示倍率に比例するように、前記画像情報を付与しようとする付与領域のサイズを決定する付与領域サイズ決定部と、前記筆記領域サイズ決定部により決定された前記筆記領域のサイズが、前記付与領域サイズ決定部により決定された前記付与領域のサイズに一致するように、前記画像情報が筆記入力された前記筆記領域の画像を拡縮する拡縮処理部とを備えることを特徴とする。
【００１４】
このように、文字として筆記入力する画像情報に共通する筆記領域のサイズを決定する筆記領域サイズ決定部を設けたので、筆記領域の範囲の制限がない場合と比較して、同一の又は異なる作業者による文字サイズの筆記ばらつきを低減できる。また、校正画像の表示倍率に比例するように、前記画像情報を付与しようとする付与領域のサイズを決定する付与領域サイズ決定部を設けたので、校正画像に対する付与領域の相対サイズは常に一定になる。すなわち、前記筆記領域サイズ決定部により決定された前記筆記領域のサイズが、前記付与領域サイズ決定部により決定された前記付与領域のサイズに一致するように、前記画像情報が筆記入力された前記筆記領域の画像を拡縮することで、作業者による筆記ばらつき及び表示倍率の差異に起因する文字サイズの変動を抑制できる。これにより、注釈情報の視認し難さを解消するとともに、指示内容を容易に確認できる。
【００１５】
また、前記筆記領域サイズ決定部は、前記表示倍率によらない所定値を、前記筆記領域のサイズとして決定することが好ましい。
【００１６】
さらに、前記付与領域は、前記筆記領域と同一の又は相似する形状を有することが好ましい。
【００１７】
本発明は、文字としての画像情報を付与しようとする付与領域のサイズを決定する付与領域サイズ決定部と、前記付与領域サイズ決定部により決定された前記付与領域と同一の又は相似する形状を有する筆記領域のサイズを決定する筆記領域サイズ決定部と、前記筆記領域サイズ決定部により決定された前記筆記領域のサイズが前記付与領域のサイズに一致するように、前記画像情報が筆記入力された前記筆記領域の画像を拡縮する拡縮処理部とを備えることを特徴とする。
【００１８】
このように、決定された付与領域と同一の又は相似する形状を有する筆記領域のサイズを決定する筆記領域サイズ決定部を設けたので、作業者は、付与領域の形状（特に、縦横比）に対応する筆記領域内に、文字を自在に筆記入力できる。そして、前記筆記領域サイズ決定部により決定された前記筆記領域のサイズが、前記付与領域のサイズに一致するように、前記画像情報が筆記入力された前記筆記領域の画像を拡縮することで、作業者により筆記入力された各文字の配置状態を維持できる。これにより、注釈情報の視認し難さを解消するとともに、指示内容を容易に確認できる。
【００１９】
さらに、前記画像情報が表す少なくとも１つの文字を拡縮することで、所定の文字サイズになるように前記筆記領域の画像を補正する文字サイズ補正部をさらに備えることが好ましい。
【００２０】
さらに、前記画像情報における文字毎のサイズを推定し、前記文字毎のサイズの統計値を算出する文字サイズ算出部をさらに備え、前記文字サイズ補正部は、前記文字サイズ算出部により算出された前記文字毎のサイズの統計値と、前記所定の文字サイズとに基づいて前記筆記領域の画像を補正することが好ましい。
【００２１】
さらに、前記拡縮処理部は、前記校正画像の表示倍率の変更に追随して前記筆記領域の画像をさらに拡縮することが好ましい。
【００２２】
さらに、前記校正画像と重なる位置に前記筆記領域を指定する筆記領域指定部をさらに備えることが好ましい。
【００２３】
本発明に係る校正情報処理方法は、校正画像を表示する表示部と、該表示部を介して筆記入力することで前記校正画像の注釈情報を付与可能な筆記入力部とを有する装置を用いた方法であって、文字として筆記入力する画像情報に共通する筆記領域のサイズを決定する筆記領域サイズ決定ステップと、前記校正画像の表示倍率に比例するように、前記画像情報を付与しようとする付与領域のサイズを決定する付与領域サイズ決定ステップと、決定された前記筆記領域のサイズが、決定された前記付与領域のサイズに一致するように、前記画像情報が筆記入力された前記筆記領域の画像を拡縮する拡縮処理ステップとを備えることを特徴とする。
【００２４】
本発明に係る校正情報処理方法は、校正画像を表示する表示部と、該表示部を介して筆記入力することで前記校正画像の注釈情報を付与可能な筆記入力部とを有する装置を用いた方法であって、筆記入力による文字としての画像情報を付与しようとする付与領域のサイズを決定する付与領域サイズ決定ステップと、決定された前記付与領域と同一の又は相似する形状を有する筆記領域のサイズを決定する筆記領域サイズ決定ステップと、決定された前記筆記領域のサイズが、決定された前記付与領域のサイズに一致するように、前記画像情報が筆記入力された前記筆記領域の画像を拡縮する拡縮処理ステップとを備えることを特徴とする。
【００２５】
本発明に係るプログラムは、校正画像を表示する表示部と、該表示部を介して筆記入力することで前記校正画像の注釈情報を付与可能な筆記入力部とを有する装置を、文字として筆記入力する画像情報に共通する筆記領域のサイズを決定する筆記領域サイズ決定部、前記校正画像の表示倍率に比例するように、前記画像情報を付与しようとする付与領域のサイズを決定する付与領域サイズ決定部、前記筆記領域サイズ決定部により決定された前記筆記領域のサイズが、前記付与領域サイズ決定部により決定された前記付与領域のサイズに一致するように、前記画像情報が筆記入力された前記筆記領域の画像を拡縮する拡縮処理部として機能させることを特徴とする。
【００２６】
本発明に係るプログラムは、校正画像を表示する表示部と、該表示部を介して筆記入力することで前記校正画像の注釈情報を付与可能な筆記入力部とを有する装置を、文字としての画像情報を付与しようとする付与領域のサイズを決定する付与領域サイズ決定部、前記付与領域サイズ決定部により決定された前記付与領域と同一の又は相似する形状を有する筆記領域のサイズを決定する筆記領域サイズ決定部、前記筆記領域サイズ決定部により決定された前記筆記領域のサイズが、前記付与領域のサイズに一致するように、前記画像情報が筆記入力された前記筆記領域の画像を拡縮する拡縮処理部として機能させることを特徴とする。
【００２７】
本発明に係る電子校正システムは、上記したいずれかの、少なくとも１つの校正情報処理装置と、該校正情報処理装置と相互に通信可能であって校正画像を表す校正データ及び前記注釈情報を記憶可能なサーバ装置とを有することを特徴とする。
【発明の効果】
【００２８】
本発明に係る校正情報処理装置、校正情報処理方法、プログラム及び電子校正システムによれば、文字として筆記入力する画像情報に共通する筆記領域のサイズを決定するようにしたので、筆記領域の範囲の制限がない場合と比較して、作業者による文字サイズの筆記ばらつきが低減する。また、校正画像の表示倍率に比例するように、前記画像情報を付与しようとする付与領域のサイズを決定するようにしたので、校正画像と付与領域との相対サイズは常に一定になる。すなわち、決定された前記筆記領域のサイズが、決定された前記付与領域のサイズに一致するように、前記画像情報が筆記入力された前記筆記領域の画像を拡縮することで、作業者による筆記ばらつき及び表示倍率の差異に起因する文字サイズの変動を抑制できる。これにより、注釈情報の視認し難さを解消するとともに、指示内容を容易に確認できる。
【００２９】
本発明に係る校正情報処理装置、校正情報処理方法、プログラム及び電子校正システムによれば、決定された付与領域と同一の又は相似する形状を有する筆記領域のサイズを決定するようにしたので、作業者は、付与領域の形状（特に、縦横比）に対応する筆記領域内に、文字を自在に筆記入力できる。そして、決定された前記筆記領域のサイズが、前記付与領域のサイズに一致するように、前記画像情報が筆記入力された前記筆記領域の画像を拡縮することで、作業者により筆記入力された各文字の配置状態を維持できる。これにより、注釈情報の視認し難さを解消するとともに、指示内容を容易に確認できる。
【図面の簡単な説明】
【００３０】
【図１】本実施の形態に係る電子校正システムとしての印刷物生産システムの全体構成図である。
【図２】図１に示す印刷会社内のシステム構成図である。
【図３】図１に示す情報処理装置の機能ブロック図である。
【図４】図１に示す印刷物生産システムを用いた印刷物生産工程を説明するフローチャートである。
【図５】図４のステップＳ５における、情報処理装置の動作説明に供されるフローチャートである。
【図６】図６Ａ及び図６Ｂは、校正画像に対して注釈情報を付与する際の画面遷移を表す概略説明図である。
【図７】図７Ａ及び図７Ｂは、文字画像の補正方法を説明するための概略図である。図７Ｃは、図７Ａの文字画像が補正された結果を表す図である。
【図８】注釈情報が付与された校正画像を表示する情報処理装置の概略正面図である。
【図９】図９Ａ及び図９Ｂは、校正画像に対して更に注釈情報を付与する際の画面遷移を表す概略説明図である。
【図１０】図１０Ａ及び図１０Ｂは、校正画像に対して注釈情報を付与する際の別の画面遷移を表す概略説明図である。
【発明を実施するための形態】
【００３１】
以下、本発明に係る校正情報処理方法について、これを実施する校正情報処理装置及び電子校正システムとの関係において好適な実施形態を挙げ、添付の図面を参照して説明する。
【００３２】
図１は、本実施の形態に係る印刷物生産システム１０（電子校正システム）の全体構成を示している。
【００３３】
この印刷物生産システム１０は、校正者等が所属する広告代理店又はクライアント（会社）等の印刷物の発注会社１２と、デザイナ等が所属する制作会社１４と、印刷オペレータ等が所属する印刷会社１６との間で、ＬＡＮ（Local Area Network）或いはＷＡＮ（Wide Area Network）等のネットワーク１８を介して構築されたシステムである。各プレーヤーの構成は、本図に限定されるものではなく、例えば、制作会社１４と印刷会社１６とが同一の会社等とされることもある。
【００３４】
発注会社１２内には、ネットワーク１８とＬＡＮ２０との間の接続を中継する機器であるゲートウェイ２２と、印刷会社１６側から送信された校正データを基に校正を行うための校正者端末２４と、校正者端末２４から送信された校正データに基づいてプルーフ２６を印刷するプリンタ２８と、発注会社１２内に構築される無線ＬＡＮの中継機器である無線ＬＡＮルータ３０と、無線ＬＡＮルータ３０を介して校正データ等を取得可能な２台の情報処理装置３２ａ、３２ｂ（校正情報処理装置）とが配置されている。
【００３５】
なお、本明細書では、初校、再校、再々校、及び校了の際に発生する印刷用データを総称して「校正データ」という。
【００３６】
制作会社１４内には、ネットワーク１８とＬＡＮ３４との間の接続を中継する機器であるゲートウェイ３６と、印刷会社１６側から送信された校正データを基に校正を行うためのデザイナ端末３８と、デザイナ端末３８から送信された校正データに基づいてプルーフ４０を印刷するプリンタ４１と、制作会社１４内に構築される無線ＬＡＮの中継機器である無線ＬＡＮルータ４２と、無線ＬＡＮルータ４２を介して校正データ等を取得可能な１台の情報処理装置４４（校正情報処理装置）とが配置されている。
【００３７】
図２は、図１に示す印刷会社１６内のシステム構成図である。
【００３８】
印刷会社１６内には、ネットワーク１８とＬＡＮ５０との間の接続を中継する機器であるゲートウェイ５２と、ＬＡＮ２０、３４を含む外部ネットワークに属する各端末からネットワーク１８を介してアクセス可能なリモートサーバ５４（サーバ装置）と、印刷に要する各種作業を行うためのオペレータ端末５６と、リモートサーバ５４から送信された校正データ（又は製版データ）に基づいてラスタライズ処理や色変換処理等の各画像処理を実行するＲＩＰ装置５８と、ＲＩＰ装置５８から送信された処理済みの校正データに基づいてプルーフ６０を印刷可能であるＤＤＣＰ（Direct Digital Color Proofing）６２と、図示しない刷版を装着して印刷物６４を印刷可能であるオフセット印刷機６６とが配置されている。
【００３９】
リモートサーバ５４は、印刷物生産システム１０におけるワークフロー管理の中核をなす装置である。リモートサーバ５４は、校正者端末２４、デザイナ端末３８、及び情報処理装置３２ａ、３２ｂ、４４にネットワーク１８を介してそれぞれ接続される。一方、リモートサーバ５４は、ＬＡＮ５０を介して、オペレータ端末５６及びＲＩＰ装置５８に接続される。
【００４０】
本実施の形態において、リモートサーバ５４は、各端末、各ユーザ、又は各ジョブにおいて実行可能なタスク権限を管理する権限管理サーバ６８としての機能と、素材データ、校正データ、製版データ及びこれらに付随する各種データファイルの格納・転送を司るファイルサーバ７０としての機能と、各工程の開始・終了等の所定のタイミングで通知メールを生成・配信するメールサーバ７２としての機能とを担う。
【００４１】
権限管理サーバ６８は、印刷物生産システム１０の運用に関する各種設定を登録し、その登録情報に従って本システムを運用させる。登録情報には、ファイルサーバ７０へのアクセス権限、ファイルサーバ７０に保存された各種データの読出し／書込み権限、メールサーバ７２からの通知メールの送信先等が含まれる。具体例として、後述する電子校正に関して、校正画像を閲覧する権限、校正画像に注釈情報を付与する権限、校正データを修正・更新する権限、校了の承認権限等が、各担当者に割り当てられる。
【００４２】
ファイルサーバ７０は、権限管理サーバ６８での登録情報に従って、印刷物６４の生産に必要な各種データファイルを保存、更新、削除等する。各種データファイルには、制作会社１４からの素材データ、校正データ、製版データ、ジョブチケット｛例えば、ＪＤＦ（Job Definition Format）ファイル｝、ＩＣＣ（International Color Consortium）プロファイル、色見本データ等が含まれる。
【００４３】
メールサーバ７２は、権限管理サーバ６８での登録情報に従って、通知メールを所定の端末（ユーザ）に対して適時に送信する。送信タイミングとして、例えば、入稿の通知、プリフライト処理の実行通知、校正開始／終了の旨の通知、承認の通知、校正完了の通知等が挙げられる。この通知により、各担当者は、各工程の進捗状況を適時に確認できる。
【００４４】
ＲＩＰ装置５８は、少なくとも１つの印刷機に対する印刷処理サーバとして機能する。図２例では、ＲＩＰ装置５８には、ＤＤＣＰ６２と、オフセット印刷機６６とが電気的に接続されている。この場合、ＲＩＰ装置５８は、ページ記述言語で記述された校了データを各印刷機に応じた網点データに変換し、前記網点データをＤＤＣＰ６２（又はオフセット印刷機６６）に供給する。
【００４５】
ＤＤＣＰ６２は、ＲＩＰ装置５８から供給された網点データに基づいてプルーフ６０を印刷する。プルーファとして、ＤＤＣＰ６２に代替して、インクジェットカラープルーファ、低解像度のカラーレーザプリンタ（電子写真方式）やインクジェットプリンタ等を用いてもよい。
【００４６】
オフセット印刷機６６は、ＲＩＰ装置５８から供給された網点データに基づいて印刷物６４を印刷する。なお、オフセット印刷機６６に代替して、ダイレクト印刷のためのデジタル印刷機を設けてもよい。デジタル印刷機としては、インクジェットカラープルーファやカラーレーザプリンタ（電子写真方式）等を用いてもよい。
【００４７】
図１及び図２に示すように、クライアント装置としての校正者端末２４、デザイナ端末３８、及びオペレータ端末５６は、ＣＰＵ、ＲＯＭ、ＲＡＭ等を備える本体部２４ａ、３８ａ、５６ａと、表示部２４ｂ、３８ｂ、５６ｂと、ポインティングデバイス・キーボード等からなる入力部２４ｃ、３８ｃ、５６ｃをそれぞれ備えている。
【００４８】
本実施の形態では、クライアント装置として、タッチペン７４（又はユーザの指先）を用いて筆記入力が可能である情報処理装置３２ａ、３２ｂ、４４を適用している。
【００４９】
図３は、図１に示す情報処理装置３２ａの機能ブロックである。ＣＰＵ等からなる制御部（不図示）は、ＲＯＭ、ＲＡＭ等の記録媒体（不図示）に格納されたプログラムを読み出し実行することで、これらの機能を実現可能である。なお、情報処理装置３２ｂ、４４についても、図３と同様の構成であるとする。
【００５０】
情報処理装置３２ａは、外部装置からの電気信号を送受信する通信部８０と、通信部８０から受信された校正データに対して表示に適した各種信号処理を施す信号処理部８２と、信号処理部８２により信号処理された校正データから表示制御信号を生成する表示制御部８４と、表示制御部８４により生成された表示制御信号に基づいて画像（校正画像や注釈情報を含む。）を表示する表示部８６と、タッチペン７４と表示部８６との接触部位を検出することで筆記入力する筆記入力部８８と、筆記入力部８８からの筆記入力の特徴に基づいて筆記情報（ユーザの指示や入力内容を含む。）を解釈する筆記情報解釈部９０と、筆記情報解釈部９０により解釈された筆記情報に応じた図形、アイコン等の表示用画像を作成する画像作成部９２と、筆記情報解釈部９０により解釈された筆記情報を格納する注釈情報格納部９４と、注釈情報としての画像情報を必要に応じて加工処理する画像情報加工部９６とを備える。
【００５１】
ここで、注釈情報には、文字、図形、記号、模様、色彩又はこれらを組み合わせた画像情報、ＡＳＣＩＩ等の文字コードを組み合わせたテキスト情報のみならず、音声情報、映像情報等が含まれる。
【００５２】
信号処理部８２は、画像の拡縮処理、トリム処理、ガンマ変換処理、ＩＣＣプロファイルによるカラーマッチング処理、画像のエンコード処理・デコード処理等を含む信号処理を適宜行う。
【００５３】
表示部８６は、カラー表示可能な表示モジュールであり、液晶パネル、有機ＥＬ（Electro-Luminescence）、無機ＥＬパネル等で構成されてもよい。筆記入力部８８は、表示部８６を介して直接入力可能なタッチパネル検出器である。検出方式としては、抵抗膜方式、静電容量方式、赤外線方式、電磁誘導方式、静電結合方式等を含む種々の方式を用いてもよい。
【００５４】
筆記情報解釈部９０は、文字としての画像情報を入力する際に筆記入力を受け付ける領域（以下、「筆記領域」という。）のサイズを決定する筆記領域サイズ決定部９８と、校正画像上に画像情報を付与する領域（以下、「付与領域」という。）のサイズを決定する付与領域サイズ決定部１００と、表示画面の表示可能領域の中から筆記領域を指定する筆記領域指定部１０２と、校正画像の画像領域の中から付与領域を指定する付与領域指定部１０４と、筆記入力部８８からの筆記情報の属性を識別する画像情報識別部１０６とを備える。
【００５５】
画像情報加工部９６は、筆記領域のサイズが付与領域のサイズに一致するように筆記領域の画像を拡縮（拡大又は縮小）する拡縮処理部１０８と、画像情報における文字毎のサイズを推定しその統計量を算出する文字サイズ算出部１１０と、少なくとも１つの文字を拡縮することで画像情報を補正する文字サイズ補正部１１２とを備える。
【００５６】
本実施の形態に係る印刷物生産システム１０は以上のように構成される。続いて、印刷物６４を生産するワークフロー及び印刷物生産システム１０の動作について、図４及び図５を参照しながら説明する。
【００５７】
先ず、印刷会社１６に所属する印刷オペレータは、入稿された素材データを編集してＤＴＰ処理を行う（ステップＳ１）。ＤＴＰ処理に先立ち、制作会社１４に属するデザイナは、デザイナ端末３８を用いて、印刷物６４のコンテンツに相当する素材データを作成する。入稿権限を有するデザイナによる送信指示に応じて、デザイナ端末３８は、ファイルサーバ７０（リモートサーバ５４）を送信先に指定して前記素材データを送信する。そうすると、ファイルサーバ７０は、ＬＡＮ３４、ゲートウェイ３６、ネットワーク１８、及びゲートウェイ５２を介して、素材データを受信して記憶する。
【００５８】
そして、印刷オペレータは、オペレータ端末５６を用いて、素材データの入手、プリフライト処理、及び組版等の必要な作業を行う。このとき、オペレータ端末５６は、ＬＡＮ５０を介して、ファイルサーバ７０から（に）データファイルを適宜受信（送信）してもよい。
【００５９】
次いで、校正者は、メールサーバ７２（リモートサーバ５４）から、校正作業の依頼の旨の通知メールを受け取る（ステップＳ２）。ここで、校正者は、発注会社１２、制作会社１４、印刷会社１６のいずれに属してもよい。本実施の形態では、例えば、発注会社１２側の校正者による校正作業について例示するが、この形態に限られない。例えば、校正者端末２４（本体部２４ａ）は、ネットワーク１８、ゲートウェイ２２、ＬＡＮ２０を介して、メールサーバ７２からの通知メールを受信する。
【００６０】
次いで、校正者は、ファイルサーバ７０から校正データ（初校）をダウンロードし、校正データの確認を行う（ステップＳ３）。例えば、校正者端末２４（本体部２４ａ）は、ネットワーク１８等を介して印刷会社１６から校正データを取得し、プリンタ２８での印刷に適した所定の信号処理を施す。そして、プリンタ２８は、信号処理済みの印刷データを取得し、該印刷データに基づいてプルーフ２６を印刷する。そして、校正者は、プルーフ２６を観察し、種々の校正作業を行う。
【００６１】
次いで、校正者は、校正データに対して修正が必要か否かを判断する（ステップＳ４）。修正が必要であると判断した場合、校正者は、デザイナに対して修正指示を行う（ステップＳ５）。本実施の形態に係る電子校正システムでは、情報処理装置３２ａ等を用いて付与された注釈情報（アノテーション）をファイルサーバ７０に登録することで、校正画像を閲覧する権限を有するデザイナは、修正指示の内容を閲覧可能となる。例えば、校正者から、ページの内容を承認しないの旨の指示をリモートサーバ５４側に送信すると、メールサーバ７２は、デザイナに通知メールを送信する。
【００６２】
以下、ステップＳ５における情報処理装置３２ａの動作（具体的には、注釈情報の付与）について、図５のフローチャート及び図３の機能ブロック図を参照しながら詳細に説明する。
【００６３】
先ず、情報処理装置３２ａは、校正者による所定の操作に応じて、注釈モードに移行する（ステップＳ５１）。校正データのダウンロード指示に応じて、通信部８０は、印刷会社１６からの校正データを受信する。そして、信号処理部８２は、校正データに対して、表示部８６への表示に適した所望の信号処理を施す。そして、表示制御部８４は、信号処理された校正データから表示制御信号を生成し、該表示制御信号に基づいて表示部８６（表示画面１２０上）に校正画像１２２を表示させる。
【００６４】
図６Ａ及び図６Ｂは、校正画像１２２に対して注釈情報を付与する際の画面遷移を表す概略説明図である。
【００６５】
表示部８６の表示画面１２０には、校正画像１２２（本図では、雑誌のページ画像）が略全面に表示されている。また、表示画面１２０の右下隅部には、校正画像１２２に重畳して、アイコン１２４が表示されている。このアイコン１２４は、タッチの回数に応じて編集モード（注釈モードを含む。）を切り替える第１アイコン１２６と、筆記モード・消しゴムモードに切り替える第２アイコン１２８と、校正作業の終了・設定の保存を指示する第３アイコン１３０とから構成される。例えば、校正者による所定の操作、例えば、第１アイコン１２６を所定の回数だけタッチすることで、注釈モードが選択される。また、第２アイコン１２８を所定の回数だけタッチすることで、筆記モードが選択される。さらに、所定のタッチ操作に応じて、校正画像１２２のスクロール表示、表示倍率Ｒｄ（校正画像１２２の拡縮率）の変更等が可能である。
【００６６】
なお、タッチペン７４（又はユーザの指先）によるタッチ操作に応じて、表示部８６の表示内容が適時に更新される。この機能は、筆記入力部８８による検出処理、筆記情報解釈部９０による筆記情報の解釈処理、画像作成部９２による画像の作成・更新処理、表示制御部８４による表示制御、及び表示部８６による更新表示を経ることで実現される。
【００６７】
次いで、校正者による所定の操作に応じて、筆記領域サイズ決定部９８は、筆記領域１４４（図６Ｂ参照）のサイズを決定する（ステップＳ５２）。ここで、決定する筆記領域１４４のサイズは、文字として筆記入力する画像情報に共通する所定のサイズである。サイズを共通にすることで、筆記領域１４４の範囲の制限がない場合と比較して、同一の又は異なる作業者による文字サイズの筆記ばらつきを低減できる。また、校正画像１２２の表示倍率Ｒｄによらないサイズの筆記領域１４４を設けることで、筆記ばらつきが更に低減される。さらに、相当数の文字を筆記入力可能な程度のサイズの筆記領域１４４を設けることで、修正に関する情報を十分に伝達可能である。
【００６８】
なお、サイズの単位は、ピクセル数、ポイント数（フォントサイズ）であってもよいし、実寸サイズの単位（例えば、ｍｍ）であってもよい。本実施の形態では、例えば、矩形状である筆記領域１４４の横方向及び縦方向の画素数は、それぞれＳｘ［画素］、Ｓｙ［画素］と決定されたとする。
【００６９】
次いで、付与領域指定部１０４は、画像情報の付与位置１３８の入力指示を受け付けたか否かを判別する（ステップＳ５３）。具体的には、付与領域指定部１０４は、校正画像１２２のいずれかの位置のタッチ操作があったか否かを判別する。
【００７０】
図６Ａに示すように、作業者は、現在表示されている校正画像１２２の修正対象箇所１３４に対して、引き出し線１３６を筆記入力したとする。そして、引き出し線１３６の終端部に注釈情報（正しい内容）を付与したい場合、作業者は、破線で図示した付与位置１３８をタッチする。そうすると、付与領域指定部１０４は、タッチ操作があったと判別し、次のステップ（Ｓ５４）に進む。一方、タッチ操作がなかったと判別された場合は、上記したタッチ操作を受け付けるまでステップＳ５３に留まる。
【００７１】
次いで、付与領域サイズ決定部１００は、付与領域１４０のサイズを決定する（ステップＳ５４）。付与領域サイズ決定部１００は、現時点での校正画像１２２の表示倍率Ｒｄを取得し、表示倍率Ｒｄに比例した値を付与領域１４０のサイズとして決定する。一例として、矩形状である付与領域１４０の横方向及び縦方向の画素数は、それぞれＫ・Ｒｄ・Ｓｘ［画素］、Ｋ・Ｒｄ・Ｓｙ［画素］と決定してもよい。ここで、Ｋは、正値の比例係数である。付与領域１４０のアスペクト比（横と縦との比率）は、（Ｋ・Ｒｄ・Ｓｘ）：（Ｋ・Ｒｄ・Ｓｙ）＝Ｓｘ：Ｓｙであり、筆記領域１４４のアスペクト比と一致する。すなわち、付与領域１４０は、筆記領域１４４と同一の又は相似する形状を有している。
【００７２】
次いで、付与領域指定部１０４は、付与領域１４０を指定する（ステップＳ５５）。図６Ｂに示すように、付与領域指定部１０４は、ステップＳ５３で入力された付与位置１３８と、ステップＳ５４で決定されたサイズとに基づいて、付与領域１４０を決定する。ここで、入力された付与位置１３８と、指定しようとする付与領域１４０との相対的位置関係は、任意に定めてもよい。例えば、付与位置１３８を中心として付与領域１４０を配置してもよいし、付与位置１３８を１つの頂点として付与領域１４０を配置してもよい。
【００７３】
図６Ｂ例では、指定された付与領域１４０（表示画面１２０の右上部）は、校正画像１２２上に重ねて表示されている。未だ筆記入力されていない付与領域１４０の境界には、枠線１４２が付されているので、作業者は、付与領域１４０の位置及びサイズを事前に把握できる。
【００７４】
次いで、筆記領域指定部１０２は、ステップＳ５２で決定されたサイズに従って、筆記領域１４４を指定する（ステップＳ５６）。指定の位置は、予め決定されていてもよいし、付与位置１３８（表示画面１２０上での相対的座標）に応じて決定してもよい。
【００７５】
図６Ｂ例では、筆記領域１４４を含むウィンドウ１４６（表示画面１２０の中央下部）は、校正画像１２２上に重ねて表示されている。ウィンドウ１４６の上部には、筆記領域１４４の筆記内容の確定・キャンセル等するボタン群１４８が配置されている。
【００７６】
次いで、筆記情報解釈部９０は、文字入力の完了通知があったか否かを判別する（ステップＳ５７）。具体的には、付与領域指定部１０４は、ウィンドウ１４６内のボタン群１４８のタッチ操作があったか否かを判別する。タッチ操作があったと判別された場合、次のステップ（Ｓ５８）に進む。また、タッチ操作がなかったと判別された場合は、上記したタッチ操作を受け付けるまでステップＳ５７に留まる。
【００７７】
ところで、ステップＳ５８に先立って、画像情報識別部１０６は、画像情報の属性を識別する。文字として筆記入力する画像情報であると識別された場合、画像情報識別部１０６は、その画像情報を画像情報加工部９６側に供給する。一方、それ以外の画像情報（音声、テキスト、記号のみ）であると識別された場合、注釈情報格納部９４側に供給する。なお、文字として筆記入力する画像情報であっても、各々の画像情報に対し、後述する拡縮処理を実行するか否かを選択できるようにしてもよい。
【００７８】
次いで、文字サイズ補正部１１２は、筆記領域１４４の画像を補正する（ステップＳ５８）。補正処理に先立ち、文字サイズ算出部１１０は、筆記領域１４４内に筆記された少なくとも１つの文字を分離・認識し、文字毎のサイズを推定する。この分離・認識手法として、画像認識処理に関する公知の技術（例えば、パターンマッチング法）を種々適用できる。以下、筆記領域１４４の画像がバイナリデータである場合での、分離・認識手法の一例について説明する。
【００７９】
図７Ａに示すように、文字サイズ補正部１１２は、文字として筆記入力された筆記領域１４４の画像（以下、文字画像１５０という。）に対して、オン画素（筆記された画素）の一次元分布（又は二次元分布）の傾向を解析する。ここでは、Ｘ方向に沿ってオフ画素（筆記されない画素）が連続した画像領域を「余白領域」として定義する。本図例では、第１〜第７余白領域１５２ａ〜１５２ｇが検出される。この場合、文字サイズ補正部１１２は、第１余白領域１５２ａの右端（Ｘ座標）と、第２余白領域１５２ｂの左端（Ｘ座標）との差分値から、第１文字である「Ｎ」の文字サイズを推定する。以下同様に、６つの文字サイズをそれぞれ推定する。
【００８０】
そして、文字サイズ算出部１１０は、それぞれ推定された６つの文字サイズの平均値を算出する。本図において、校正者は、ローマ数字の「ＩＩ」を筆記したつもりであったが、文字サイズ補正部１１２は、ローマ数字の「Ｉ」が２個と認識したとする。この場合、「ＩＩ」の文字サイズは、目論見と異なり、約半分の文字サイズとして推定されている。そこで、推定された６つの文字サイズの平均値を取ることで、上記した推定誤差を低減できる。文字サイズ算出部１１０は、平均値のみならず、最頻値、中心値、最大値及び最小値を含む統計値を算出してもよい。
【００８１】
その後、文字サイズ補正部１１２は、所定の文字サイズに合わせるように文字画像１５０を補正する。具体的には、文字サイズ補正部１１２は、文字サイズ算出部１１０による各文字の分離・認識結果に基づいて、すべてのオン画素を含むように画像を切り出し、トリム画像１５４を取得する（図７Ｂ参照）。そして、文字サイズ補正部１１２は、所定の拡縮率で、トリム画像１５４を拡縮する。この拡縮率は、文字サイズ算出部１１０により算出された文字サイズＣｃと、所定の文字サイズＣｄとすると、Ｃｄ／Ｃｃで決定される。そして、文字サイズ補正部１１２は、拡縮されたトリム画像１５４を、筆記領域１４４と同一のサイズの画像領域に再配置することで、補正画像１５６を取得する（図７Ｃ）。これにより、筆記領域１４４の範囲内での筆記ばらつきをも低減できる。
【００８２】
なお、筆記領域１４４に筆記された文字列が横書きのみならず、縦書きであってもこの補正は適用できる。また、単数行のみならず、複数行にわたる筆記であっても同様である。
【００８３】
次いで、拡縮処理部１０８は、補正画像１５６を拡縮する（ステップＳ５９）。拡縮処理部１０８は、筆記領域１４４のサイズ（すなわち、補正画像１５６の領域サイズ）が、付与領域１４０のサイズに一致するように、拡縮率を決定する。具体的には、横方向において、Ｋ・Ｒｄ・Ｓｘ［画素］をＳｘ［画素］に変換するため、拡縮率を１／（Ｋ・Ｒｄ）とすればよい。なお、拡縮前後でのアスペクト比は同じであるから、縦方向の拡縮率も同じ｛＝１／（Ｋ・Ｒｄ）｝である。これにより、付与領域１４０に表示される文字が歪むのを防止できる。
【００８４】
次いで、表示制御部８４は、表示画面１２０を更新表示させ、新たな注釈情報が付与された校正画像１２２を表示させる（ステップＳ６０）。
【００８５】
図８に示すように、表示画面１２０上において、ウィンドウ１４６（図６Ｂ参照）が閉じられるとともに、付与領域１４０の位置には、文字としての画像情報（拡縮された補正画像１５６ｓ）が新たに表示される。すなわち、付与領域１４０には、筆記領域１４４内に筆記入力された文字が、相似関係を維持しながら表示される。
【００８６】
次いで、筆記情報解釈部９０は、設定保存の指示を受け付けたか否かを判別する（ステップＳ６１）。具体的には、筆記情報解釈部９０は、第３アイコン１３０のタッチ操作があったか否かを判別する。タッチ操作がなかったと判別された場合、ステップＳ５３に戻って、以下、ステップＳ５３〜Ｓ６１を繰り返す。
【００８７】
例えば、図９Ａに示すように、図６Ａと比較して表示倍率Ｒｄを高くした表示状態下において、別の付与位置１６０（付与領域１４０の上方）に対し、新たな注釈情報（前回と同じ内容とする。）を付与したとする。そうすると、図９Ｂに示すように、既に付与された付与領域１４０と略同サイズの付与領域１６２が指定され、且つ、該付与領域１６２には、文字としての画像情報（拡縮された補正画像１６４ｓ）が新たに表示される。すなわち、校正画像１２２に対する付与領域１４０（又は別の付与領域１６０）の相対サイズは常に一定となる。また、校正画像１２２の表示倍率Ｒｄの変更に追随して補正画像１５６ｓ、１６４ｓをさらに拡縮することで、前記相対サイズを維持できる。
【００８８】
図５に戻って、ステップＳ６１において第３アイコン１３０のタッチ操作があったと判別された場合、情報処理装置３２ａは、注釈情報をリモートサーバ５４側に送信する（ステップＳ６２）。具体的には、注釈情報格納部９４は、文字としての画像情報（拡縮された補正画像１５６ｓ、１６４ｓ）と、校正画像１２２上の付与位置１３８とを注釈情報データとして一時的に格納する。
【００８９】
そして、情報処理装置３２ａは、通信部８０を介して、注釈情報データを所定の宛先（リモートサーバ５４）に送信する。そして、リモートサーバ５４は、無線ＬＡＮルータ３０、ＬＡＮ２０、ゲートウェイ２２、ネットワーク１８、及びゲートウェイ５２を介して、注釈情報データを受信する。そして、ファイルサーバ７０は、この注釈情報データを校正データに対応付けて記憶する。
【００９０】
このようにして、校正者は、校正データの修正指示を電子的に行う（ステップＳ５）。
【００９１】
図４に戻って、制作会社１４に所属するデザイナは、メールサーバ７２から、色の修正指示があった旨の通知メールを受け取る（ステップＳ６）。例えば、デザイナ端末３８（本体部３８ａ）は、ネットワーク１８、ゲートウェイ３６、ＬＡＮ３４を介して、メールサーバ７２からの通知メールを受信する。
【００９２】
次いで、デザイナは、校正データの修正を行う（ステップ７）。校正データを注釈情報と併せて閲覧し、校正者からの修正の指示内容を確認する。校正画像１２２を閲覧するために、デザイナ端末３８又は情報処理装置４４のいずれを用いてもよい。上述したように、異なる校正者、異なる表示倍率Ｒｄでの注釈であっても、略同じの文字サイズで表示されるので、特に第三者にとって視認し易くなり、指示内容を容易に確認できる。
【００９３】
このようにして、デザイナ端末３８は、修正された校正データ（再校データ）を作成し、リモートサーバ５４側に送信する。そうすると、リモートサーバ５４は、無線ＬＡＮルータ４２、ＬＡＮ３４、ゲートウェイ３６、ネットワーク１８、及びゲートウェイ５２を介して再校データを受信する。そして、ファイルサーバ７０は、この再校データを記憶する。
【００９４】
デザイナによる修正が完了した場合、ステップＳ２に戻って、校正者は、リモートサーバ５４（メールサーバ７２）から、通知メールを受け取る（ステップＳ２）。
【００９５】
以下、同様に、ステップＳ２〜Ｓ７を繰り返し、校正作業（再校、再々校）を行う。修正の必要がないと判断すると（すなわち、関与する全校正者がページの内容を承認する旨の指示をリモートサーバ５４側に通知した場合）、ファイルサーバ７０は、最後に更新された校正データを校了データとして記憶する。例えば、印刷会社１６に所属する印刷オペレータは、メールサーバ７２から通知メールを受け取る（ステップＳ８）。オペレータ端末５６（本体部５６ａ）は、ＬＡＮ５０を介して、メールサーバ７２からの通知メールを受信する。
【００９６】
次いで、印刷会社１６に所属する印刷オペレータは、校了データに基づいて、印刷物６４の生産を行う（ステップＳ９）。具体的には、印刷オペレータは、ＤＤＣＰ６２にプルーフ６０を印刷させ、校正を行う。その後、刷版を作成し、オフセット印刷機６６を用いて印刷物６４を生産する。
【００９７】
以上のように、文字として筆記入力する画像情報に共通する筆記領域１４４のサイズを決定する筆記領域サイズ決定部９８を設けたので、筆記領域１４４の範囲の制限がない場合と比較して、同一の又は異なる作業者による文字サイズの筆記ばらつきを低減できる。また、校正画像１２２の表示倍率Ｒｄに比例するように、前記画像情報を付与しようとする付与領域１４０のサイズを決定する付与領域サイズ決定部１００を設けたので、校正画像１２２と付与領域１４０との相対サイズは常に一定になる。すなわち、筆記領域サイズ決定部９８により決定された筆記領域１４４のサイズが、付与領域サイズ決定部１００により決定された付与領域１４０のサイズに一致するように、前記画像情報が筆記入力された筆記領域１４４の画像を拡縮することで、作業者による筆記ばらつき及び表示倍率Ｒｄの差異に起因する文字サイズの変動を抑制できる。これにより、注釈情報の視認し難さを解消するとともに、指示内容を容易に確認できる。
【００９８】
続いて、ステップＳ５における情報処理装置３２ａの動作（注釈情報の付与）の変形例について、図１０Ａ及び図１０Ｂを参照しながら説明する。
【００９９】
図１０Ａに示すように、作業者は、引き出し線１３６の終端部に、比較的多い文字数で注釈情報を付与したい場合、タッチペン７４を用いた所定の操作（ドラッグ操作）を行う。このドラッグ操作に応じて、付与領域指定部１０４は、横方向に長尺な付与領域１７０（破線で示す。）を指定するとともに、付与領域サイズ決定部１００は、付与領域１７０のサイズを決定する。そして、筆記領域サイズ決定部９８は、付与領域１７０と同一の又は相似する形状を有する筆記領域１７２のサイズを決定する。そして、筆記領域指定部１０２は、筆記領域サイズ決定部９８により決定されたサイズに従って、筆記領域１７２を指定する。
【０１００】
そうすると、図１０Ｂ例のように、筆記領域１７２を含むウィンドウ１４６は、校正画像１２２に重ねて表示される。この場合、筆記領域１７２は横方向に長尺であるので、作業者は、比較的多い文字数で注釈情報を付与できる。
【０１０１】
このように、決定された付与領域１７０と同一の又は相似する形状を有する筆記領域１７２のサイズを決定するようにしたので、作業者は、付与領域１７０の形状（特に、縦横比）に対応する筆記領域１７２内に、文字を自在に筆記入力できる。そして、決定された筆記領域１７２のサイズが、付与領域１７０のサイズに一致するように、前記画像情報が筆記入力された筆記領域１７２の画像を拡縮することで、作業者により筆記入力された各文字の配置状態を維持できる。これにより、注釈情報の視認し難さを解消するとともに、指示内容を容易に確認できる。
【０１０２】
なお、この発明は、上述した実施形態に限定されるものではなく、この発明の主旨を逸脱しない範囲で自由に変更できることは勿論である。
【０１０３】
例えば、本実施の形態に係るクライアント装置（情報処理装置３２ａ等）は、本体部、表示部及び入力部が一体に構成されているが、複数の機器（例えば、校正者端末２４における、本体部２４ａ、表示部２４ｂ及び入力部２４ｃ）で構成されても本発明を適用できる。
【符号の説明】
【０１０４】
１０…印刷物生産システム                  ２４…校正者端末
３２ａ、３２ｂ、４４…情報処理装置        ３８…デザイナ端末
５４…リモートサーバ                      ５６…オペレータ端末
６４…印刷物                              ７０…ファイルサーバ
８０…通信部                              ８４…表示制御部
８６…表示部                              ８８…筆記入力部
９０…筆記情報解釈部                      ９２…画像作成部
９４…注釈情報格納部                      ９６…画像情報加工部
９８…筆記領域サイズ決定部                １００…付与領域サイズ決定部
１０２…筆記領域指定部                    １０４…付与領域指定部
１０８…拡縮処理部                        １１０…文字サイズ算出部
１１２…文字サイズ補正部                  １２０…表示画面
１２２…校正画像                          １４０、１６２、１７０…付与領域
１４４、１７２…筆記領域                  １５０…文字画像
１５６…補正画像
【図１】
2012216097.tif 000003
【図２】
2012216097.tif 000004
【図３】
2012216097.tif 000005
【図４】
2012216097.tif 000006
【図５】
2012216097.tif 000007
【図６】
2012216097.tif 000008
【図７】
2012216097.tif 000009
【図８】
2012216097.tif 000010
【図９】
2012216097.tif 000011
【図１０】
2012216097.tif 000012